(57)【特許請求の範囲】
【請求項１】
外部構造体（１５）と、
本体モータ（２）により前記外部構造体（１５）に対して電動式に昇降され得る内側本体（３）と、
上方へ移動される前記内側本体（３）の正面を覆うための、フラップモータ（４）により電動式に移動可能なフラップ（５）と、
を備える家具（１）であって、
前記フラップ（５）は前記外部構造体（１５）に連節されており、
前記フラップモータ（４）および前記本体モータ（２）を連携して作動させるために少なくとも１つの作動スイッチ（Ｓ１、Ｓ２）により動作可能な電子制御デバイス（６）が設けられ、前記フラップ（５）が開いていて前記内側本体（３）が下方へ移動されている位置から開始して、前記内側本体（３）の少なくとも部分的な上方への移動および前記フラップ（５）の閉鎖動作が行われるとき、前記フラップ（５）が閉じる前にまず前記内側本体（３）が少なくとも部分的に上方へ移動し、前記内側本体（３）が少なくとも部分的に上方へ移動している間、前記フラップ（５）は静止したままである、ことを特徴とする家具（１）。
【請求項２】
前記内側本体（３）の高さ方向位置を検出するために、前記電子制御デバイス（６）に接続されるデバイスが設けられていることを特徴とする、請求項１に記載の家具（１）。
【請求項３】
前記電子制御デバイス（６）は、前記内側本体（３）の前記検出される高さ方向位置（Ｈ）に依存して、前記フラップモータ（４）および前記本体モータ（２）を連携して作動させることを特徴とする、請求項２に記載の家具（１）。
【請求項４】
前記内側本体（３）の少なくとも部分的な上方への移動および前記フラップ（５）の閉鎖動作は、前記作動スイッチ（Ｓ１、Ｓ２）の一回限りの作動によって起動されることを特徴とする、請求項１から請求項３のいずれか１項に記載の家具（１）。
【請求項５】
前記フラップ（５）の位置を検出するために、前記電子制御デバイス（６）に接続されるデバイスが設けられていることを特徴とする、請求項１から請求項３のいずれか１項に記載の家具（１）。
【請求項６】
前記内側本体（３）の下方への移動は、前記フラップ（５）が閉鎖されているとき、妨げられることを特徴とする、請求項１から請求項５のいずれか１項に記載の家具（１）。
【請求項７】
少なくとも１つの前記作動スイッチ（Ｓ１、Ｓ２）は、前記フラップ（５）が閉鎖されると前記フラップ（５）により隠されることを特徴とする、請求項１から請求項６のいずれか１項に記載の家具（１）。
【請求項８】
前記フラップ（５）の開放、前記内側本体（３）の上下移動および／または前記内側本体（３）が少なくとも部分的に上方へ移動し、かつ前記フラップ（５）が閉鎖する動作は、具体的には、前記作動スイッチ（Ｓ１、Ｓ２）が作動している時間長さに応じて起動されることを特徴とする、請求項１から請求項７のいずれか１項に記載の家具（１）。
【請求項９】
少なくとも２つの前記作動スイッチ（Ｓ１、Ｓ２）が設けられていて、
−前記フラップ（５）の開閉は、少なくとも２つの前記作動スイッチ（Ｓ１、Ｓ２）のうちの一つの作動によって起動され、
−前記フラップ（５）が開放された状態における前記内側本体（３）の上下移動は、少なくとも２つの前記作動スイッチ（Ｓ１、Ｓ２）のうち、前記フラップ（５）を開閉させる作動スイッチとは別の作動スイッチの作動によって起動されることを特徴とする、請求項１から請求項８のいずれか１項に記載の家具（１）。
【請求項１０】
前記フラップ（５）が開いていて前記内側本体（３）が下方へ移動されている位置から開始して、前記フラップ（５）を開閉させる前記作動スイッチにより、前記内側本体（３）の少なくとも部分的な上方への移動および前記フラップ（５）の閉鎖動作も行われ、前記フラップ（５）が閉じる前にまず前記内側本体（３）が少なくとも部分的に上方へ移動することを特徴とする、請求項９に記載の家具（１）。
【請求項１１】
使用位置において、当該家具（１）の右側および左側に各々２つの前記作動スイッチ（Ｓ１、Ｓ２）が設けられていることを特徴とする、請求項１から請求項１０のいずれか１項に記載の家具（１）。
【請求項１２】
前記フラップ（５）が閉鎖されているとき、少なくとも１つの前記作動スイッチ（Ｓ１、Ｓ２）は、少なくとも部分的に前記フラップ（５）の内面に当接し、よって前記フラップ（５）への外圧により作動されることを特徴とする、請求項１から請求項１１のいずれか１項に記載の家具（１）。
【請求項１３】
少なくとも１つの前記作動スイッチ、または、設けられた前記作動スイッチ（Ｓ１、Ｓ２）のうちの少なくとも１つは、押しボタンスイッチであることを特徴とする、請求項１から請求項１２のいずれか１項に記載の家具（１）。
【請求項１４】
前記本体モータ（２）および／または前記フラップモータ（４）は電気モータであることを特徴とする、請求項１から請求項１３のいずれか１項に記載の家具（１）。
【請求項１５】
前記内側本体（３）の前記正面は少なくとも部分的に開いていることを特徴とする、請求項１から請求項１４のいずれか１項に記載の家具（１）。
【請求項１６】
前記内側本体（３）は少なくとも１つの仕切り棚（１４）を有することを特徴とする、請求項１から請求項１５のいずれか１項に記載の家具（１）。
【発明の詳細な説明】
【技術分野】
【０００１】
本発明は、外部構造体と、本体モータにより外部構造体に対して電動式に昇降されることが可能な内側本体と、上方へ移動される内側本体の正面を覆うための、フラップモータにより電動式に移動可能なフラップと、を備え、フラップは外部構造体に連節される家具に関する。
【０００２】
この場合、「本体モータ」および「フラップモータ」という用語は、単に文字通りのモータだけでなく、当業者によりモータ動作の技術的実装のために通常使用される、例えば適切な伝動装置のような周辺デバイスも指すこと、換言すれば、電動駆動ユニット全体を指すことに留意されたい。
【０００３】
さらに、まずは、本発明が所定のタイプの内側本体またはフラップを有する家具に限定されないことも指摘されるべきである。フラップは、例えば上側へ移動可能なフラップであることが可能であるが、これに関しては、事実上、一体式の高レベルフラップ、いわゆる少なくとも２つのフラップ部分を備える上側へ折り畳めるフラップ、一体式の上側へ旋回できるフラップまたはいわゆる持ち揚げフラップ（これらに関しては、例えばオーストリア実用新案第００９０７６号明細書参照）とは明らかに区別される。
【背景技術】
【０００４】
本明細書の冒頭に記載した家具は、例えば、本件出願人へ付与された、具体的には、このような家具の基本構造を壁への取付けに関連して最適化することに関する発明を開示しているオーストリア公開特許第５０７８０４号明細書から既知である。
【０００５】
類似の構造は、日本国公開特許第２００９２９７２７１号明細書および国際公開出願第２００７１３１２５１号パンフレットに記述されている。
【先行技術文献】
【特許文献】
【０００６】
【特許文献１】オーストリア実用新案第００９０７６号明細書
【特許文献２】オーストリア公開特許第５０７８０４号明細書
【特許文献３】日本国公開特許第２００９２９７２７号明細書
【特許文献４】国際公開出願第２００７１３１２５１号パンフレット
【発明の概要】
【発明が解決しようとする課題】
【０００７】
したがって、本発明の目的は、ユーザにとっての安全性、および同時に操作上の快適さを向上させることにある。例えば、これまでは、家具のフラップと内側本体との互いに対する相対的動作によってこれらの２つの部品間に指が挟まれることになる危険性を完全に排除することは不可能であった。
【課題を解決するための手段】
【０００８】
本発明によれば、この目的は、請求項１に記載されている特徴によって達成される。
【０００９】
したがって、本発明の基本的考案は、フラップモータと本体モータとを連携した関係性で作動させることを包含する。
【００１０】
この連携した作動は、内側本体の高さ方向位置を検出するためのデバイスを制御デバイスへ接続して設けることによって促進されることが可能である。よって、より具体的には、制御デバイスは、検出される内側本体の高さ方向位置に依存して、フラップモータおよび本体モータを、連携した関係性で作動させることができる。高さ方向位置は、配置された家具に対する内側本体の高さ方向位置を明示する。高さ方向位置を検出するためのこのデバイスは、この目的で当業者により通常使用される異なるセンサであってもよい。ある代替例として、本体モータは、それ自体がこのようなデバイスとして機能することも可能であり、より具体的には、例えばこれがステッピングモータを含む場合には、その回転数が検出されかつその回転数が内側本体により覆われる移動距離と関係する。
【００１１】
本明細書の冒頭で言及した、家具のフラップと内側本体との互いに対する相対移動に起因してこれらの２つの部品間に指が挟まれることになる危険性を排除するためには、フラップが開いていて内側本体が下方へ移動されている位置から開始して家具を閉鎖するために、フラップが閉じるより前に内側本体がまず少なくとも部分的に上方へ動けば有利である。これに対する代替例として、双方の動作、換言すれば、内側本体の上方への動きとフラップの閉鎖とは、同時に開始することもできる。しかしながら、この場合、フラップが閉鎖する動作速度は、フラップが最終的に閉じる前に、内側本体による上方への移動動作が終わる程度に低減される。
【００１２】
先に述べたユーザのための操作上の快適さに関して言えば、家具の閉鎖が一つだけの作動スイッチによる一回限りの作動で上述のように起動されることが可能であれば望ましいことが分かっている。
【００１３】
また、フラップモータおよび本体モータの連携した作動、加えて内側本体の高さ方向位置を検出するためのデバイスを装備する可能性、もやはり、フラップの位置を検出するためのデバイスが制御デバイスへ接続されていれば、さらに促進されることが可能である。このようなデバイスの技術的実装の可能性に関連して、本明細書では、異なるセンサ、および、フラップモータの回転数を検出することによって間接的に瞬間的なフラップ位置を決定する可能性も示される。
【００１４】
安全性をさらに高めるためには、フラップの閉鎖時に内側本体の下方への移動が妨げられれば有利である。これは、例えば電子制御デバイスによって、および／または作動スイッチによって達成されてもよく、これにより、内側本体の下方への移動が起動され、フラップの閉鎖時はフラップによって隠され、よって外部からはアクセス不可となることが可能である。
【００１５】
本発明の有利な一実施形態は、フラップの開放、内側本体の上方および下方への移動および／または家具の（上述の方式による）閉鎖が１つの作動スイッチの作動によって起動されることを特徴とする。したがって、この事例は、「ワンスイッチ動作モード」を包含する。この場合、上述のプロセスに固有の起動は、異なる期間に渡って持続する作動、および／または、作動スイッチの作動パルスの異なる順序（シーケンス）によって実行されることが可能である。例えば、閉鎖されたフラップおよび上方へ移動された内側本体を始点とする作動スイッチの最初の作動は（その持続時間に関わらず）、常にフラップを開放することが考えられる。所定の瞬間から、換言すれば、フラップの所定位置から、作動スイッチは、新たな作動のために再び解除される。この新たな作動は、本質的に、この時点でフラップが再び閉じるか、内側本体が下方へ動くかを決定する。例えば、短い作動は、フラップを閉鎖させてもよく、かつ長い作動は、内側本体を下方へ移動させてもよく、またはこの逆であってもよい。代替例として、この区別化は、予め決められた時間窓における異なる数の作動パルスによって行われてもよい。内側本体が下側へ移動された状態において、ユーザは、（作動スイッチの異なる作動により）次には内側本体を上方へ移動させたいだけか、フラップもさらに（上述の方式で）閉鎖されるかを決定することが再度可能である。
【００１６】
本発明のさらなる有利な実施形態は、少なくとも２つの作動スイッチが提供され、
−フラップの開閉は、これらの少なくとも２つの作動スイッチのうちの一方のスイッチの作動によって起動されることが可能であり、かつ、
−内側本体の上方および下方への移動は、これらの少なくとも２つの作動スイッチのうちの他方のスイッチの作動によって起動されることが可能であることを特徴とする。
【００１７】
作動スイッチの作動はフラップの開閉を起動することができるが、さらに、この作動スイッチの作動により、家具の閉鎖も（上述の方式のように）起動されるように規定することができる。
【００１８】
特に、大型の内側本体を有する家具の場合、使用位置における家具の左側面および右側面にこのような作動スイッチを２つずつ設けることが可能であり、２つの作動スイッチは、例えば、２側面上で上下に配列され、かつ上側の２つのスイッチは所定の機能、より具体的には同じ機能、によって特徴づけられ、下側の２つのスイッチは上側のスイッチとは別の機能、但しこれらの下側の２スイッチについて言えばやはり同じ機能、によって特徴づけられる。これには、家具の操作に際して、ユーザは、作動スイッチによる２スイッチグループのうちでユーザの存在位置の近くに配置されている方を選択できるという利点がある。
【００１９】
高度に洗練された構造体は、少なくとも１つの作動スイッチ、より具体的には、好ましくはフラップが閉鎖されかつ内側本体が上側に移動されている状態でフラップの開放を起動する少なくとも１つの作動スイッチは、フラップの閉鎖時には少なくとも一部分がフラップの内面に当接し、かつフラップへの外圧によって作動可能であることを特徴とする。
【００２０】
さらに、
−少なくとも１つの作動スイッチ、または装備される作動スイッチのうちの少なくとも１つが押しボタンスイッチであり、および／または、
−本体モータおよび／またはフラップモータが電気モータであり、および／または、
−内側本体の正面が少なくとも一部分が開放され、かつ／または、
−内側本体が少なくとも１つの仕切り棚を有していれば、有利である。
【００２１】
以後、本発明のさらなる詳細および利点を、諸図面に例示されている実施形態を参照して、具体的な説明により、さらに詳しく説明する。
【図面の簡単な説明】
【００２２】
【図１ａ】フラップが閉鎖しかつ内側本体が上方に移動された状態の家具の好適な一実施形態を示す斜視線図である。
【図１ｂ】フラップが閉鎖しかつ内側本体が上方に移動された状態の家具の好適な一実施形態を示す側面線図である。
【図２ａ】フラップが開きかつ内側本体が上方に移動された状態の家具の好適な一実施形態を示す斜視線図である。
【図２ｂ】フラップが開きかつ内側本体が上方に移動された状態の家具の好適な一実施形態を示す側面線図である。
【図３ａ】フラップが開きかつ内側本体が下方に移動された状態の家具の好適な一実施形態を示す斜視線図である。
【図３ｂ】フラップが開きかつ内側本体が下方に移動された状態の家具の好適な一実施形態を示す側面線図である。
【図４ａ】フラップが開きかつ内側本体が上方に移動された状態の家具の好適な一実施形態を示す斜視線図である。
【図４ｂ】フラップが部分的に閉鎖しかつ内側本体が部分的に上方に移動された状態の家具の好適な一実施形態を示す斜視線図である。
【図５】家具の好適な実施形態における、フラップモータと本体モータとの連携した作動を例示する原理を示す線図である。
【発明を実施するための形態】
【００２３】
図１ａから図４ｂまでは、家具１の好適な実施形態による開閉動作の間の様々な状態を示す。この点に関連して、図１ａおよび図１ｂは、完全に閉鎖された状態、換言すれば、内側本体が完全に上方へ移動されかつ完全に閉鎖されたフラップ５によって隠された状態を示している。図１ａは斜視図であり、図１ｂは、その状態における家具１の側面図である。外部フレーム構造体１５と、この場合は２つの部分で構成されている上側への折り畳みフラップであるフラップ５と、本体モータ２の一部と、２つのモータおよび電子制御デバイスならびに家具１のさらなる電子コンポーネントの全てへ電気エネルギーを供給する電源デバイス７とを見ることができる。
【００２４】
側面図の拡大部分（図１ｂ参照）では、電子制御デバイスを操作するために設けられた２つの作動スイッチＳ１およびＳ２を見ることができる。これらの２つの作動スイッチＳ１およびＳ２の配置に関する特異性は、フラップ５が閉鎖されると、これらがフラップ５によって隠されることにある。さらに、スイッチＳ１はフラップ５の内面に当接していて、フラップ５上への外圧Ｄ１により作動され得る。これに対して、スイッチＳ２は、外部フレーム構造体１５の内部に配置され、よって、図１ｂでは単に破線で示されている。ここで、家具１のフラップ５を開くことが望まれれば、外部からフラップ５へ短時間の加圧動作Ｄ１をするだけでスイッチＳ１を作動させることができ、これにより、フラップ５の開放機構の作動が開始される。
【００２５】
図２ａおよび図２ｂの双方は、フラップ５が完全に開いた家具１の状態を、より具体的に言えば同じく斜視図および側面図として示している。いまではフラップ５が開いていることから、観察者は、家具１の内部を見通すことができ、そうしながらフラップモータ４と、内側本体３と、２つの仕切り棚１４と、同じく斜視図内の２つの作動スイッチＳ１およびＳ２とを見ることができ、ここで、これらの２つの作動スイッチＳ１およびＳ２は、共に、家具１の左側および右側の双方に配置されている。これには、家具を操作する際に、ユーザは、作動スイッチＳ１およびＳ２による２スイッチグループのうちでユーザの存在位置に近い方を選択できるという利点がある。二組の作動スイッチＳ１およびＳ２のおかげで、特に大型の内側本体３を有する家具１の場合、どのような場合でも両側に配置された２つのスイッチＳ１の一方が圧力Ｄ１に応答するので、最初の開放圧力コマンドＤ１がフラップ５のどの場所に加えられるかは、問題にならない。
【００２６】
家具１のこの状態を始点として、ユーザは、作動スイッチＳ１の新たな、但し今回は直接的な作動Ｄ２によってフラップ５を再び閉鎖するか、または、如何なる程度であれ内側本体３を下方へ移動させ、こうして内側本体３への物品の搬入、または内側本体３からの物品の取り出しをより容易にさせる、という可能性を有する。ユーザは、後者の動作を起動することを希望するとすれば、２つのスイッチＳ２のうちの一方を作動Ｄ３することにより、これを実行することができる。
【００２７】
図３ａおよび図３ｂは、フラップ５が完全に開き、内側本体３が下まで完全に移動されている家具１の状態を示す。家具１の残りの部分に対する内側本体３の高さ方向位置を明示する、内側本体３の高さ方向位置は、図３ｂにおける参照符号Ｈで示されている。
【００２８】
家具のこの状態において、ユーザは再度、２つの操作オプションを有している。即ち、一方で、スイッチＳ２を新たに作動Ｄ４すれば、フラップ５を閉じることなく内側本体３を再び上方へ移動させることができるという選択肢と、他方で、スイッチＳ１に圧力Ｄ５を加えて、内側本体３を上方へ移動させかつフラップ５も閉鎖させるという選択肢との間で選択をすることになる。ここで、家具１のこの組み合わされた閉鎖動作は、まず、内側本体３が少なくとも部分的に上方へ移動し、この時点で初めてフラップ５が閉じるように連携される。「少なくとも部分的に」という表現は、この閉鎖動作において、まずは内側本体３が上方へ完全に移動し、この時点で初めてフラップ５の閉鎖動作が開始する（この状況は、図４ａに示されている）、または如何なる程度であれ内側本体３が部分的に上方へ移動し、次いでフラップ５の閉鎖動作が起動される（この点に関しては、図４ｂ参照）ことを指す。どちらのシナリオにおいても、この構造により、内側本体３の移動中に内側本体３に対するフラップ５の間隔が所定の安全な間隔を下回らないことが保証されるため、内側本体３とフラップ５との相対的な移動によってユーザの指が挟まれる危険性は排除される。フラップ５は、内側本体３が既に停止状態に至って初めて内側本体３に完全に接近する。
【００２９】
図５は、家具の好適な実施形態における、フラップモータ４と本体モータ２との連携した作動を示したものである。このような連携した作動を実装するための中央の部品部分は、本体モータ２およびフラップモータ４の双方、および２つの作動スイッチＳ１およびＳ２へも接続される電子制御デバイス６である。最も簡易な事例では、これらの接続部９から１３までは電気接続部である。２つの作動スイッチＳ１およびＳ２の作動により、ユーザは、電子制御デバイス６へ動作コマンドを与えることができ、電子制御デバイス６は、この時点で２つのモータ２および４を連携した関係性で作動させる。この連携は、単なる例示として、フラップが開いていて内側本体が下方へ移動されている位置から開始して家具を閉鎖するために、フラップが閉じる前にまずは内側本体が少なくとも部分的に上方へ移動する、または、フラップが閉鎖されると内側本体の下方への動作が妨げられる、という手順を包含する。
【００３０】
２つの破線８および１１は、本実施形態における２つのモータ２および４が各々、内側本体の高さ方向位置を検出するためと、フラップの位置を検出するためのデバイスとして機能し、かつ、高さ方向位置およびフラップ位置に関する情報を制御デバイス６へフィードバックすることを示している。しかしながら、本明細書本文の先の導入部分において既に述べたように、この目的に沿って、制御デバイスから分離されたセンサデバイスを設けることも可能である。
【００３１】
点破線で分離されている図５の右側部分は、作動スイッチＳ１およびＳ２の２つの好適な実施形態を線図で示したものであって、作動スイッチＳ１はいわゆる「単極／単投」スイッチであり、かつスイッチＳ２はいわゆる「単極／双投」スイッチである。
【００３２】
最後に、図５は、フラップモータ４および本体モータ５の連携した作動の基本原理を示したものであって、技術的実装にはなおも当然必要であるさらなる全ての電子コンポーネント（但し、当業者が精通しているもの）は、図面を分かりやすくするために省略されている点にも留意されたい。
【図１ａ】
0006026536.tif 000002
【図１ｂ】
0006026536.tif 000003
【図２ａ】
0006026536.tif 000004
【図２ｂ】
0006026536.tif 000005
【図３ａ】
0006026536.tif 000006
【図３ｂ】
0006026536.tif 000007
【図４ａ】
0006026536.tif 000008
【図４ｂ】
0006026536.tif 000009
【図５】
0006026536.tif 000010